【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】
印刷する情報を受け取り、印刷出力を生成するように操作できる第一と第二の印刷資源を効率的に利用するシステムであって、前記第一と第二の印刷資源の各々はそれぞれの性能により特徴付けられている、前記システムにおいて、
ドキュメントを受け取るレシーバであって、前記ドキュメントは第一の部分と第二の部分を含み、前記第一と第二の部分は印刷する情報を含み、所定の順序により特徴付けられていて、さらに、そこで、前記第一の部分は前記第一と第二の印刷資源の前記それぞれの性能の第一の性能に最適化され、前記第二の部分は前記第一と第二の印刷資源の前記それぞれの性能の第二の性能に最適化され、前記第一と第二の部分はさらに、前記それぞれの性能のどれにそれらが最適化されているかを示すように操作できる属性を含む、レシーバと、
前記レシーバと前記第一と第二の印刷資源に結合され、前記ドキュメントを受け取り、前記第一と第二の部分の各々から前記属性を読み、印刷出力を生成するために、前記それぞれの性能の前記第一と第二の性能の前記対応する性能により、前記第一と第二の部分の各々を前記対応する印刷資源に振り分けるように操作できる資源割当部と、
前記第一と第二の印刷資源に結合され、前記第一と第二の印刷資源から前記印刷出力を受け取り、前記所定の順序に応じて完成したドキュメントを組み立てるように操作できる組立機と
を備えたシステム。
【請求項２】
第一と第二の印刷資源を効率的に利用する方法であって、前記第一と第二の印刷資源の各々はそれぞれの性能により特徴付けられている、前記方法において、
（ａ）ドキュメントを受け取り、前記ドキュメントは第一の部分と第二の部分を含み、前記第一と第二の部分は印刷する情報を含み、所定の順序により特徴付けられていて、さらに、そこで、前記第一の部分は前記第一と第二の印刷資源の前記それぞれの性能の第一の性能に最適化され、前記第二の部分は前記第一と第二の印刷資源の前記それぞれの性能の第二の性能に最適化され、前記第一と第二の部分はさらに、前記それぞれの性能のどれにそれらが最適化されているかを示すように操作できる属性を含み、
（ｂ）前記第一と第二の印刷資源の前記それぞれの性能のどれが前記第一と第二の部分の各々に利用されるべきかを、前記属性の中に示し、
（ｃ）前記ドキュメントを資源割当部に送信し、
（ｄ）前記資源割当部により、前記第一と第二の部分から前記属性を読み、
（ｅ）前記示された性能と前記それぞれの性能に基づき、前記資源割当部により、前記第一と第二の印刷資源の一つに前記第一と第二の部分の各々を振り分け、
（ｆ）前記第一と第二の部分の前記第一と第二の印刷資源の各々から印刷出力を生成し、
（ｇ）前記所定の順序に応じて、前記印刷出力から完成したドキュメントを組み立てること
を含む方法。
【手続補正２】
【補正対象書類名】明細書
【補正対象項目名】００５８
【補正方法】変更
【補正の内容】
【００５８】
したがって、上記の詳細な記述は限定するものではなく実例として見なされることを意図し、そして、本発明の趣旨と範囲を定義するように意図されたのは、すべての相当物を含む、後述の請求項であることは理解されることを意図している。
［付記］
（付記１）
印刷する情報を受け取り、印刷出力を生成するように操作できる第一と第二の印刷資源を効率的に利用するシステムであって、前記第一と第二の印刷資源の各々はそれぞれの性能により特徴付けられている、前記システムにおいて、
ドキュメントを受け取るレシーバであって、前記ドキュメントは第一の部分と第二の部分を含み、前記第一と第二の部分は印刷する情報を含み、所定の順序により特徴付けられていて、さらに、そこで、前記第一の部分は前記第一と第二の印刷資源の前記それぞれの性能の第一の性能に最適化され、前記第二の部分は前記第一と第二の印刷資源の前記それぞれの性能の第二の性能に最適化され、前記第一と第二の部分はさらに、前記それぞれの性能のどれにそれらが最適化されているかを示すように操作できる属性を含む、レシーバと、
前記レシーバと前記第一と第二の印刷資源に結合され、前記ドキュメントを受け取り、前記第一と第二の部分の各々から前記属性を読み、印刷出力を生成するために、前記それぞれの性能の前記第一と第二の性能の前記対応する性能により、前記第一と第二の部分の各々を前記対応する印刷資源に振り分けるように操作できる資源割当部と、
前記第一と第二の印刷資源に結合され、前記第一と第二の印刷資源から前記印刷出力を受け取り、前記所定の順序に応じて完成したドキュメントを組み立てるように操作できる組立機と
を備えたシステム。
（付記２）
前記第一の部分は前記第二の部分の中に点在していてもよい、付記１に記載のシステム。
（付記３）
前記資源割当部は印刷サーバを備える、付記１に記載のシステム。
（付記４）
前記第一の印刷資源の前記それぞれの性能は白黒出力を生産する性能であり、前記第二の印刷資源の前記それぞれの性能はカラー出力を生産する性能である、付記１に記載のシステム。
（付記５）
前記第一の印刷資源の前記それぞれの性能は高解像度の出力を生産する性能であり、前記第二の印刷資源の前記それぞれの性能は低解像度の出力を生産する性能である、付記１に記載のシステム。
（付記６）
前記第一の印刷資源の前記それぞれの性能は、前記第二の印刷資源の前記それぞれの性能とは異なる、付記１に記載のシステム。
（付記７）
前記第二の印刷資源が前記第二の部分の印刷を始める前に、前記第一の印刷資源は前記第一の部分の印刷を完了する、付記１に記載のシステム。
（付記８）
前記第二の印刷資源は前記組立機を備える、付記７に記載のシステム。
（付記９）
前記第二の印刷資源は、前記所定の順序にしたがって、前記第一の印刷資源からの前記印刷出力を前記第二の印刷資源からの前記印刷出力に自動的に挿入する、付記８に記載のシステム。
（付記１０）
前記組立機は丁合機を含む、付記８に記載のシステム。
（付記１１）
前記資源割当部は、前記示された属性を無効にし、前記第一と第二の部分の両方を前記第一と第二の印刷資源の一つに振り分けるようにさらに操作できる、付記１に記載のシステム。
（付記１２）
前記無効化は自動的に行われる、付記１１に記載のシステム。
（付記１３）
前記無効化は手作業で行われる、付記１１に記載のシステム。
（付記１４）
前記無効化は、前記第一と第二の印刷資源での前記示された性能が利用できることに基づく、付記１１に記載のシステム。
（付記１５）
前記無効化は、前記第一と第二の印刷資源がどの程度、繁忙であるかに基づく、付記１１に記載のシステム。
（付記１６）
第一と第二の印刷資源を効率的に利用する方法であって、前記第一と第二の印刷資源の各々はそれぞれの性能により特徴付けられている、前記方法において、
（ａ）ドキュメントを受け取り、前記ドキュメントは第一の部分と第二の部分を含み、前記第一と第二の部分は印刷する情報を含み、所定の順序により特徴付けられていて、さらに、そこで、前記第一の部分は前記第一と第二の印刷資源の前記それぞれの性能の第一の性能に最適化され、前記第二の部分は前記第一と第二の印刷資源の前記それぞれの性能の第二の性能に最適化され、前記第一と第二の部分はさらに、前記それぞれの性能のどれにそれらが最適化されているかを示すように操作できる属性を含み、
（ｂ）前記第一と第二の印刷資源の前記それぞれの性能のどれが前記第一と第二の部分の各々に利用されるべきかを、前記属性の中に示し、
（ｃ）前記ドキュメントを資源割当部に送信し、
（ｄ）前記資源割当部により、前記第一と第二の部分から前記属性を読み、
（ｅ）前記示された性能と前記それぞれの性能に基づき、前記資源割当部により、前記第一と第二の印刷資源の一つに前記第一と第二の部分の各々を振り分け、
（ｆ）前記第一と第二の部分の前記第一と第二の印刷資源の各々から印刷出力を生成し、
（ｇ）前記所定の順序に応じて、前記印刷出力から完成したドキュメントを組み立てること
を含む方法。
（付記１７）
前記第一の部分は前記第二の部分の中に点在していてもよい、付記１６記載の方法。
（付記１８）
前記資源割当部は印刷サーバを備える、付記１６に記載の方法。
（付記１９）
前記第一の印刷資源の前記それぞれの性能は白黒出力を生産する性能であり、前記第二の印刷資源の前記それぞれの性能はカラー出力を生産する性能である、付記１６に記載の方法。
（付記２０）
前記第一の印刷資源の前記それぞれの性能は高解像度の出力を生産する性能であり、前記第二の印刷資源の前記それぞれの性能は低解像度の出力を生産する性能である、付記１６に記載の方法。
（付記２１）
前記第一の印刷資源の前記それぞれの性能は、前記第二の印刷資源の前記それぞれの性能とは異なる、付記１６に記載の方法。
（付記２２）
前記第二の印刷資源が前記第二の部分の前記生成を始める前に、前記第一の印刷資源は前記第一の部分の前記生成を完了する、付記１６に記載の方法。
（付記２３）
前記第二の印刷資源は前記組立を行う、付記２２に記載の方法。
（付記２４）
前記組立は、さらに、前記所定の順序にしたがって、前記第一の印刷資源からの前記印刷出力を前記第二の印刷資源からの前記印刷出力に自動的に挿入することを含む、付記２３に記載の方法。
（付記２５）
前記組立は、前記第一と第二の部分を丁合することを含む、付記２３に記載の方法。
（付記２６）
前記振り分けは、前記示された属性を無効にし、前記第一と第二の部分の両方を前記第一と第二の印刷資源の一つに振り分けることを、さらに含む、付記１６に記載の方法。
（付記２７）
前記無効化は自動的に行われる、付記２６に記載の方法。
（付記２８）
前記無効化は手作業で行われる、付記２６に記載の方法。
（付記２９）
前記無効化は、前記第一と第二の印刷資源での前記示された性能が利用できることに基づく、付記２６に記載の方法。
（付記３０）
前記無効化は、前記第一と第二の印刷資源がどの程度、繁忙であるかに基づく、付記２６に記載の方法。